(57)【特許請求の範囲】
【請求項１】
配電盤であって、
遮断器が内蔵された配電盤ケースと、
先端部に傾斜面を有するドアフックを備え、前記配電盤ケースにヒンジ構造で開閉可能に装着されるドアと、
一端部が前記配電盤ケースの外側にヒンジ構造で結合されて、他端部が上下方向に回動可能であり、前記遮断器のオン／オフ動作を外部から手動操作する外部操作ハンドルと、
前記ドアフックの傾斜面に接触可能となるように、前記配電盤ケースの内部に前記ドアの閉鎖状態において前記ドアの平面に対して傾斜して配置され、前記ドアの閉鎖動作により前記ドアフックの傾斜面に当接して回動し、一側角部に前記ドアフックが係止されることにより、前記ドアのロック状態を維持する係止部材とを含むことを特徴とする配電盤。
【請求項２】
前記係止部材は、前記ドアフックの傾斜面に接触する範囲内で傾斜して配置されることにより、前記ドアフックの傾斜面との接触面積を広く確保することを特徴とする請求項１に記載の配電盤。
【請求項３】
前記係止部材は、前記ドアフックの傾斜面と平行に配置されることを特徴とする請求項１又は２に記載の配電盤。
【請求項４】
前記遮断器と前記外部操作ハンドル間を機構的に連結し、前記外部操作ハンドルと連動して前記遮断器をオン／オフする作動リンク部をさらに含み、
前記作動リンク部は、
前記配電盤ケースに設置され、前記外部操作ハンドルの一端部にヒンジ結合されるハンドルマウント部と、
前記ハンドルマウント部の内部にヒンジ構造で結合されるラッチとを含み、
前記係止部材は、前記ラッチの一端部に、前記配電盤ケースの背面に対して傾斜して結合され、前記ドアの閉鎖時に前記ドアフックの傾斜面と干渉することにより回動することを特徴とする請求項１〜３のいずれか一項に記載の配電盤。
【請求項５】
前記外部操作ハンドルは、前記配電盤ケースにヒンジ構造で設置され、前記配電盤ケースの前面部から背面部方向に回動することを特徴とする請求項４に記載の配電盤。
【請求項６】
前記ラッチは、前記ドアフックと平行に配置されるプレート状のラッチ本体と、前記ラッチ本体の一端部に形成されて前記係止部材を固定するための固定溝とを含むことを特徴とする請求項４又は５に記載の配電盤。
【請求項７】
前記作動リンク部は、前記ハンドルマウント部と前記ラッチの間に連結される圧縮ばねを備え、前記ラッチを元の位置に復帰させることを特徴とする請求項４〜６のいずれか一項に記載の配電盤。
【請求項８】
前記ドアフックは、前記ドアの回動軸を中心に前記ドアの外縁部の内面から突出形成され、前記ドアの閉鎖時に前記ドアフックの傾斜面が前記係止部材の傾斜面に当接することにより、前記ラッチの一端部を前記外部操作ハンドルのリセット操作方向に移動させ、前記ドアの閉鎖完了時に前記ドアフックが前記係止部材により係止されて固定されることを特徴とする請求項４〜７のいずれか一項に記載の配電盤。
【請求項９】
前記係止部材は、前記ラッチの一端部の裏面に重なるように結合される結合部と、前記結合部から前記ドアフックの回動範囲内で前記ドアフックと交差するように延びる係止部とから構成されることを特徴とする請求項４〜８のいずれか一項に記載の配電盤。
【請求項１０】
前記作動リンク部は、
前記ハンドルマウント部の内部にヒンジ構造で結合され、前記外部操作ハンドルと連動する作動カムと、
突起収容溝を備え、前記作動カムの片側に前記ラッチと噛み合って結合されるラッチホルダーとをさらに含むことを特徴とする請求項４〜９のいずれか一項に記載の配電盤。
【請求項１１】
前記作動リンク部は、前記作動カムの片側にヒンジ構造で結合されるリンク部材と、前記リンク部材に連結される連結ロッドと、前記連結ロッドと遮断器に設置された手動ハンドルの間に連結される作動レバーとを含み、前記外部操作ハンドルの操作力を前記遮断器に伝達してオン／オフすることを特徴とする請求項１０に記載の配電盤。
【請求項１２】
前記ドアフックは、前記ドアの内面に結合されるドア結合部と、前記ドア結合部から前記ドアの内側に突出形成されるフック突起とから構成され、前記ドア結合部は、長孔を備え、前記ドアフックと前記係止部材の間隔を調節することを特徴とする請求項１〜１１のいずれか一項に記載の配電盤。
【発明の詳細な説明】
【技術分野】
【０００１】
本発明は、ユーザがドアを容易に閉じることのできる配電盤に関する。
【背景技術】
【０００２】
一般に、配線用遮断器（MCCB; Molded Case Circuit Breaker）は、電気的な過負荷や短絡が発生すると自動で回路を遮断して回路や負荷機器を保護する電気機器であり、前述した配線用遮断器を配電盤内に設置する場合は、配電盤の外部から遮断器のハンドルのオン／オフなどを手動で操作するために、別途の外部操作ハンドル装置を配線用遮断器に連結して用いる。
【０００３】
図６は従来技術による配電盤ケースの外部ハンドル操作装置を示す正面図であり、配電盤ケース１の内部に配線用遮断器が設置されており、配電盤ケース１にヒンジ構造で設置されたドア２が配電盤ケース１の前面開放部を開閉する。また、配電盤ケース１の外部一側に操作ハンドル３が上下方向に回動可能に設置されている。
【０００４】
外部操作ハンドル３と配線用遮断器のハンドルの間に作動リンク部が連結され、外部操作ハンドル３を上下に回動させることにより、配線用遮断器のハンドル位置をオン又はオフ状態に操作することができる。
【０００５】
図７は従来技術による配電盤ケースの外部ハンドル操作装置におけるドア閉鎖時の動作を示す状態図であり、ドア２の内面にはドアフック２１が突出するように設置されており、配電盤ケース１の内部一面には係止部材１３がラッチ１２により回動可能に配置され、圧縮ばね１４により一方向に付勢されている。
【０００６】
ドア２を閉じる場合は、ドアフックが圧縮ばね１４の付勢力に打ち勝って係止部材１３を圧縮ばね１４の作用方向とは反対方向に移動させ、ドア２が完全に閉じると、ドアフック２１の端部が係止部材１３に係止されてドア２の閉鎖状態が維持されるようになっている。
【０００７】
逆に、ドア２を開く場合は、外部操作ハンドル３を下方に引いてリセット位置に移動させると、係止部材１３が圧縮ばね１４の作動方向とは反対方向に回動移動するので、ドアフック２１と係止部材１３の干渉がなくなってドア２を開くことができる。
【発明の概要】
【発明が解決しようとする課題】
【０００８】
図８は従来技術による配電盤ケースの外部ハンドル操作装置の問題を説明するための概略図である。
【０００９】
ところが、従来の配電盤ケースの外部ハンドル操作装置においては、図８に示すように、係止部材１３がドア閉鎖時にドア２の垂直平面と平行に配置され、ドアフック２１と係止部材１３の接触時に係止部材１３を圧縮ばねの作用方向とは反対方向に押す力ｆが不足するので（ｆ≒０）、ドアフック２１と係止部材１３の干渉によりドアの閉鎖が困難であるという問題がある。
【００１０】
図９は従来技術によるドア閉鎖時の外部操作ハンドルの操作方向を示す状態図であり、ドア２を閉じる場合に上記問題があるため、片手で外部操作ハンドル３をリセット位置に回動させて係止部材１３を強制的に拘束し、ドアフック２１と係止部材１３の干渉をなくしてから、ドア２を完全に閉じなければならないので、ドアを閉じる際に不便である。すなわち、ドア２を閉じる場合は、ドアの操作力と共に別途の外部操作ハンドル３の操作力（リセット位置に拘束する）が必要である。
【００１１】
よって、本発明は、上記問題を解決するためになされたものであり、外部操作ハンドルをリセット位置に拘束しなくても、小さな力でドアを閉じることのできる配電盤を提供することを技術的課題とする。
【課題を解決するための手段】
【００１２】
前記技術的課題を達成するために、本発明の一態様によれば、配電盤ケースと、ドアと、外部操作ハンドルと、係止部材とを含む配電盤が提供される。
【００１３】
前記配電盤ケースに遮断器が内蔵されてもよい。
【００１４】
前記ドアは、前記配電盤ケースにヒンジ構造で開閉可能に装着されてもよい。
【００１５】
前記ドアは、ドアフックを備えてもよい。
【００１６】
前記ドアフックは、先端部に傾斜面を有してもよい。
【００１７】
前記外部操作ハンドルは、前記配電盤ケースの外側に設置され、前記外部操作ハンドルの手動操作により前記遮断器のオン／オフ動作を外部から行ってもよい。
【００１８】
前記係止部材は、前記配電盤ケースの内部に前記ドアフックの傾斜面に接触可能に配置されてもよい。
【００１９】
前記係止部材は、前記ドアの閉鎖動作により前記ドアフックの傾斜面に当接して回動してもよい。
【００２０】
前記係止部材は、一側角部に前記ドアフックが係止されることにより、前記ドアのロック状態を維持してもよい。
【００２１】
前記係止部材は、前記ドアフックの傾斜面に接触する範囲内で傾斜して配置されることにより、前記ドアフックの傾斜面との接触面積を広く確保してもよい。
【００２２】
前記係止部材は、前記ドアフックの傾斜面と平行に配置されてもよい。
【００２３】
前記配電盤は、前記遮断器と前記外部操作ハンドル間を機構的に連結する作動リンク部をさらに含んでもよい。
【００２４】
前記作動リンク部は、前記外部操作ハンドルと連動して前記遮断器をオン／オフしてもよい。
【００２５】
前記作動リンク部は、前記配電盤ケースに設置され、前記外部操作ハンドルの一端部にヒンジ結合されるハンドルマウント部と、前記ハンドルマウント部の内部にヒンジ構造で結合されるラッチとを含んでもよい。
【００２６】
前記係止部材は、前記ラッチの一端部に、前記配電盤ケースの背面に対して傾斜して結合され、前記ドアの閉鎖時に前記ドアフックの傾斜面と干渉することにより回動してもよい。
【００２７】
前記外部操作ハンドルは、前記配電盤ケースにヒンジ構造で設置され、前記配電盤ケースの前面部から背面部方向に回動してもよい。
【００２８】
前記ラッチは、前記ドアフックと平行に配置されるプレート状のラッチ本体と、前記ラッチ本体の一端部に形成されて前記係止部材を固定するための固定溝とを含んでもよい。
【００２９】
前記作動リンク部は、前記ハンドルマウント部と前記ラッチの間に連結される圧縮ばねを備え、前記ラッチを元の位置に復帰させてもよい。
【００３０】
前記ドアフックは、前記ドアの回動軸を中心に前記ドアの外縁部の内面から突出形成されてもよい。
【００３１】
前記ドアフックは、前記ドアの閉鎖時に前記ドアフックの傾斜面が前記係止部材の傾斜面に当接することにより、前記ラッチの一端部を前記外部操作ハンドルのリセット操作方向に移動させてもよい。
【００３２】
前記ドアフックは、前記ドアの閉鎖完了時に前記ドアフックが前記係止部材により係止されて固定されてもよい。
【００３３】
前記係止部材は、前記ラッチの一端部の裏面に重なるように結合される結合部と、前記結合部から前記ドアフックの回動範囲内で前記ドアフックと交差するように延びる係止部とから構成されてもよい。
【００３４】
前記作動リンク部は、作動カムと、ラッチホルダーとを含んでもよい。
【００３５】
前記作動カムは、前記ハンドルマウント部の内部にヒンジ構造で結合され、前記外部操作ハンドルと連動してもよい。
【００３６】
前記ラッチホルダーは、突起収容溝を備えてもよい。
【００３７】
前記ラッチホルダーは、前記作動カムの片側に前記ラッチと噛み合って結合されてもよい。
【００３８】
前記作動リンク部は、リンク部材と、連結ロッドと、作動レバーとを含んでもよい。
【００３９】
前記リンク部材は、前記作動カムの片側にヒンジ構造で結合されてもよい。
【００４０】
前記連結ロッドは、前記リンク部材に連結されてもよい。
【００４１】
前記作動レバーは、前記連結ロッドと前記遮断器の手動ハンドルの間に連結されてもよい。
【００４２】
前記作動リンク部は、前記外部操作ハンドルの操作力を前記遮断器に伝達してオン／オフしてもよい。
【００４３】
前記ドアフックは、ドア結合部とフック突起とから構成されてもよい。
【００４４】
前記ドア結合部は、前記ドアの内面に結合されてもよい。
【００４５】
前記フック突起は、前記ドア結合部から前記ドアの内側に突出形成されてもよい。
【００４６】
前記ドア結合部は、長孔を備え、前記ドアフックと前記係止部材の間隔を調節してもよい。
【発明の効果】
【００４７】
本発明の配電盤においては、ドア閉鎖時にドアフックに当接する係止部材をドア平面から所定角度傾斜して配置するので、外部操作ハンドルをリセット位置に拘束する必要がなく、小さな力でドアを容易に閉じることができる。
【図面の簡単な説明】
【００４８】
【図１】本発明の一実施形態による配電盤ケースの外部ハンドル操作装置と内部遮断器の連結構造を示す斜視図である。
【図２Ａ】本発明による外部操作ハンドルのオン位置におけるハンドルマウント部の内部部品の作動メカニズムを示す断面図である。
【図２Ｂ】本発明による外部操作ハンドルのオフ位置におけるハンドルマウント部の内部部品の作動メカニズムを示す断面図である。
【図２Ｃ】本発明による外部操作ハンドルのリセット位置におけるハンドルマウント部の内部部品の作動メカニズムを示す断面図である。
【図３Ａ】本発明の一実施形態においてドアが閉じる直前にドアフックが係止部材に接触した状態を示す側面図である。
【図３Ｂ】本発明の一実施形態によるドアの閉鎖状態を示す側面図である。
【図４】図３Ａのドアフックにおいて係止部材に伝達される荷重の作用方向を示す概略図である。
【図５】本発明によるドアフックの底面斜視図である。
【図６】従来技術による配電盤ケースの外部ハンドル操作装置を示す正面図である。
【図７】従来技術による配電盤ケースの外部ハンドル操作装置におけるドア閉鎖時の動作を示す状態図である。
【図８】従来技術による配電盤ケースの外部ハンドル操作装置の問題を説明するための概略図である。
【図９】従来技術によるドア閉鎖時の外部操作ハンドルの操作方向を示す状態図である。
【発明を実施するための形態】
【００４９】
以下、添付図面を参照して、本発明の実施形態について詳細に説明する。
【００５０】
本発明は、ドア閉鎖動作が容易に行える配電盤ケースの外部ハンドル操作装置に関する。
【００５１】
図１は本発明の一実施形態による配電盤ケースの外部ハンドル操作装置と内部遮断器１５０の連結構造を示す斜視図である。
【００５２】
図１に示すように、本発明による配電盤ケースの外部ハンドル操作装置は、配電盤ケース１１０の内部に備えられた遮断器１５０を外部からオン／オフ操作するための装置である。
【００５３】
配電盤ケース１１０は直方体の箱状に構成され、配電盤ケース１１０の背面側内面と平行にベースプレートが固定され、ベースプレートに遮断器１５０が装着される。ここで、遮断器１５０は配線用遮断器であってもよい。
【００５４】
遮断器１５０のハンドル１５１を外部から操作するための外部操作ハンドル１１１は配電盤ケース１１０の外部正面の一側にヒンジ構造で設置されるので、ユーザが外部操作ハンドル１１１を上下方向（ユーザの立場から）に回動させることができる。
【００５５】
外部操作ハンドル１１１は、ハンドルマウント部１３１により配電盤ケース１１０にヒンジ結合される。外部操作ハンドル１１１の一端部にヒンジ部１１１ｂが備えられ、他端部に把持部１１１ａが備えられる。ヒンジ部１１１ｂは、ハンドルマウント部１３１を介して把持部１１１ａから分岐して形成され、ハンドルマウント部１３１にヒンジ軸でヒンジ結合される。
【００５６】
ハンドルマウント部１３１は、配電盤ケース１１０の外部に設置され、マウントプレート１３７が配電盤ケース１１０の壁面に対して垂直に設置されている。
【００５７】
遮断器１５０をオン／オフ位置に動作させる外部操作力を遮断器１５０の手動ハンドル１５１に伝達するために、配電盤ケース１１０の外部操作ハンドル１１１と遮断器１５０のハンドル１５１の間に作動リンク部１３０が設置される。
【００５８】
図２Ａ〜図２Ｃは本発明による外部操作ハンドル１１１の各動作位置におけるハンドルマウント部１３１の内部部品の作動メカニズムを示す断面図である。
【００５９】
まず、図１及び図２を参照して作動リンク部１３０の構成について説明すると、作動リンク部１３０は、ハンドルマウント部１３１の内部にヒンジ構造で結合される作動カム１３２と、作動カム１３２の一側と他側にそれぞれ結合されるラッチホルダー１３９及びリンク部材１３３と、ラッチホルダー１３９と噛み合うように配置されるラッチ１３８と、リンク部材１３３に連結される連結ロッド１３５と、連結ロッド１３５に連結されて遮断器１５０のハンドル１５１をオン／オフ位置に作動させる作動レバー１３６とを含む。
【００６０】
ハンドルマウント部１３１が内部空間を備えるので、リンク部材１３３、作動カム１３２及びラッチ１３８が回動及び移動することができ、ハンドルマウント部１３１が配電盤ケース１１０と接する部分に配電盤ケース１１０の内部と連通するように形成された開口部を備えるので、リンク部材１３３とラッチ１３８が開口部を経て回動することができる。
【００６１】
作動カム１３２は、外部操作ハンドル１１１のヒンジ部１１１ｂに連結されて外部操作ハンドル１１１と同じ角度範囲で回動する。
【００６２】
リンク部材１３３は、一端部が作動カム１３２の中心から一方に偏った位置にヒンジ結合され、他端部がガイドカム１３４にヒンジ結合される。
【００６３】
このような作動カム１３２とリンク部材１３３の結合構造により、外部操作ハンドル１１１の回動運動が直線運動に変換される。
【００６４】
ガイドカム１３４は、偏心軸によりマウントプレート１３７に回動可能に設置され、偏心軸から一方向に離隔配置されたヒンジピンによりリンク部材１３３にヒンジ結合されるので、リンク部材１３３の上下直線運動（図２参照）を案内することができる。
【００６５】
また、作動カム１３２の中心から他方向に偏った位置にラッチホルダー１３９が固定され、作動カム１３２の回動角度範囲と同じ範囲で回動する。さらに、ラッチホルダー１３９は、一面に備えられた突起収容溝１３９ａと、突起収容溝１３９ａの上下両方に形成された係止顎とを備える。
【００６６】
ラッチ１３８は、ハンドルマウント部１３１の内部にヒンジ構造で結合されて回動可能に支持される。また、ラッチ１３８の中間にラッチ突起１３８ａが備えられ、ラッチホルダー１３９の突起収容溝１３９ａに挿入されることにより、ラッチホルダー１３９とラッチ１３８が互いに噛み合うように結合される。
【００６７】
ここで、ラッチ１３８は圧縮ばね１４３により付勢されるが、圧縮ばね１４３の一端部はラッチ１３８に形成された固定突起により連結され、圧縮ばね１４３の他端部はハンドルマウント部１３１の内部に形成されたばね固定溝により固定されており、ラッチ１３８の下端部が配電盤ケース１１０の背面に対して垂直方向（図２の下方）を向くように位置する。
【００６８】
連結ロッド１３５は、一端部がリンク部材１３３の他端部に結合され、他端部が作動レバー１３６に連結されており、リンク部材１３３と連動して上下移動する。
【００６９】
作動レバー１３６は、遮断器１５０の側面から横方向に離隔して設置され、支持プレートにヒンジ構造で結合されるので、遮断器１５０のハンドル回動方向と同じ方向に回動することができる。
【００７０】
図２Ａは外部操作ハンドル１１１がオン位置の場合であり、図２Ｂは外部操作ハンドル１１１がオフ位置の場合であり、図２Ｃは外部操作ハンドル１１１がリセット位置の場合である。
【００７１】
図２Ａ〜図２Ｃに示すように、外部操作ハンドル１１１の操作により、オン、オフ及びリセット位置に分けられる。
【００７２】
外部操作ハンドル１１１のオン、オフ、リセット位置は、それぞれ遮断器１５０のオン、オフ、リセット位置に対応する。
【００７３】
外部操作ハンドル１１１のオン操作とは、遮断器１５０をオンにするために、外部操作ハンドル１１１を一方向（図２の左方向）に回動させることをいう。
【００７４】
外部操作ハンドル１１１のオフ操作とは、遮断器１５０をオフにするために、外部操作ハンドル１１１を他の方向（図２の右方向）に回動させることをいう。
【００７５】
外部操作ハンドル１１１のリセット操作とは、外部操作ハンドル１１１を他の方向、すなわちオフ操作の方向と同じ方向に回動させるものの、オフ操作のときより大きく回動させることをいう。ここで、外部操作ハンドル１１１のリセット位置は、ラッチホルダー１３９とラッチ１３８の噛み合いが解除された状態であり、ドアフック１２１とラッチ１３８の係止部材１４０間に干渉がない状態である。
【００７６】
また、外部操作ハンドル１１１のオン操作位置及びオフ操作位置は、圧縮ばね１４３に圧縮負荷がかかっていない状態であり、外部操作ハンドル１１１のリセット位置は、圧縮ばね１４３に圧縮負荷がかかっている状態である。
【００７７】
ここで、外部操作ハンドル１１１のオフ位置は、ラッチ１３８のラッチ突起１３８ａとラッチホルダー１３９の突起収容溝１３９ａが互いに噛み合っている状態であり、ドア１２０が開放状態であれば、外部操作ハンドル１１１はリセット位置で拘束力が解除されると、圧縮ばね１４３の付勢力によりオフ位置に自然に移動する。また、ドア１２０が開放状態であり、ラッチ１３８とラッチホルダー１３９が互いに噛み合っている場合、外部操作ハンドル１１１がオフ位置からオン位置に移動することはない。
【００７８】
しかし、本発明においては、ドア１２０が閉鎖状態であれば、ドアフック１２１によりラッチ１３８の係止部材１４０がリセット位置、すなわち圧縮ばね１４３が圧縮された状態となり、ラッチホルダー１３９とラッチ１３８の噛み合いが解除されるので、外部操作ハンドル１１１を自由自在にオン／オフ位置に移動させることができる。
【００７９】
ここで、係止部材１４０は、ラッチ１３８の下端部に形成された固定溝１３８ｂに固定される。
【００８０】
係止部材１４０は、厚さが薄く、幅より長さのほうが大きい長方形のプレート状に構成され、固定溝１３８ｂに固定される。
【００８１】
固定溝１３８ｂは、図２Ａ及び図２Ｂに示すように、外部操作ハンドル１１１がオン及びオフ位置の場合、圧縮ばね１４３により付勢されるラッチ１３８の下端に傾斜して形成されている。
【００８２】
例えば、ラッチ１３８が図２Ａ及び図２Ｂの上下方向に長く形成され、固定溝１３８ｂの傾斜方向がラッチ１３８の長軸方向の中心線から約３０゜〜７０゜の傾斜角となるように形成される。当業者であればこの傾斜角を変更できることは言うまでもない。
【００８３】
固定溝１３８ｂに固定される係止部材１４０は、ドアフック１２１の移動範囲内に位置する。すなわち、ドアが閉じると、ドアフック１２１の傾斜面が係止部材１４０に当接して干渉し、係止部材１４０を圧縮ばね１４３の圧縮方向に押すので、圧縮ばね１４３に圧縮荷重がかかる。
【００８４】
そうすると、ラッチ１３８は同図の右方向、すなわち圧縮ばね１４３の圧縮方向に回動した状態となり、図２Ｃに示すように係止部材１４０が圧縮ばね１４３の圧縮方向にさらに移動するので、ラッチホルダー１３９とラッチ１３８の噛み合いを解除することができる。
【００８５】
図２Ａ〜図２Ｃを参照して、外部操作ハンドル１１１の各動作位置におけるラッチ１３８とラッチホルダー１３９の作動メカニズムについて説明する。
【００８６】
まず、外部操作ハンドル１１１をオン位置からオフ位置に回動させる場合、図２Ａの外部操作ハンドル１１１を時計方向に回動させると、作動カム１３２が時計方向に回動し、作動カム１３２の一側に結合されたラッチホルダー１３９が時計方向に回動することにより、ラッチホルダー１３９の下方の係止顎がラッチ１３８のラッチ突起１３８ａを下方に押す。そうすると、ラッチホルダー１３９の回動力が圧縮ばね１４３の付勢力に打ち勝ってラッチ１３８をさらに回動させ、ラッチホルダー１３９の下方の係止顎とラッチ突起１３８ａの干渉が解除されると共に、圧縮ばね１４３の付勢力によりラッチ１３８が元の位置に復帰することにより、ラッチ突起１３８ａがラッチホルダー１３９の突起収容溝１３９ａに挿入されて噛み合う。こうすることにより、外部操作ハンドル１１１が無負荷状態、すなわちオフ位置となる。
【００８７】
逆に、外部操作ハンドル１１１をオフ位置からオン位置に回動させる場合、ラッチホルダー１３９とラッチ１３８のロック状態を解除しなければならないが、そのためにドア１２０が開いた状態では別途のリリース手段を用いてラッチ１３８を圧縮ばね１４３の圧縮方向にさらに回動させることにより、ラッチ１３８とラッチホルダー１３９の噛み合いを解除することができる。
【００８８】
図３Ａは本発明の一実施形態においてドア１２０が閉じる直前にドアフック１２１が係止部材１４０に接触した状態を示す側面図であり、図３Ｂは本発明の一実施形態によるドア１２０の閉鎖状態を示す側面図であり、図４は図３Ａのドアフック１２１において係止部材１４０に伝達される荷重の作用方向を示す概略図であり、図５は本発明によるドアフック１２１の底面斜視図である。
【００８９】
配電盤ケース１１０の外部ハンドル操作装置は、ドア１２０をロック及び解除することのできるドアロック機能を有する。
【００９０】
前記ドアロック機能を行うためのドアロック手段は、ドア１２０の内面に固定されたドアフック１２１と、ラッチ１３８の下端部（図３参照）に結合されて配電盤ケース１１０の垂直面に対して傾斜して配置される係止部材１４０とを含む。
【００９１】
図５に示すように、ドアフック１２１は、ドア１２０の内面に面接触するように結合されるドア結合部１２１ｂと、ドア結合部１２１ｂからドア１２０の内側に突出形成されるフック突起１２１ｃとから構成される。
【００９２】
ドア結合部１２１ｂは、締結ボルト１２２が貫通する長孔１２１ｂ’を備え、締結ボルト１２２及びナットによりドアフック１２１をドア１２０に組み付ける際にドアフック１２１の位置を調節することにより、ドアフック１２１とラッチ１３８の係止部１４１が干渉する位置に調節することができる。
【００９３】
例えば、ドア閉鎖時にドアフック１２１と係止部１４１の間隔が本来の状態より大きくなってドアフック１２１により係止部１４１が所望の位置に移動しない場合、長孔１２１ｂ’を用いてドアフック１２１の位置が係止部１４１側に近づくように再調整することができる。
【００９４】
ドアフック１２１の調整のために、前記ナットの締結状態を解除し、その後長孔１２１ｂ’の余裕空間にドアフック１２１を移動させることにより再調整することができる。
【００９５】
係止部材１４０は、幅より長さのほうが大きい長方形のプレート状に構成され、ドア１２０閉鎖時にドアフック１２１の傾斜面１２１ａに接触する係止部１４１と、係止部１４１の一端部から直角に折り曲げられて延び、ラッチ１３８の下端部と重なるように結合される結合部１４２とから構成される。
【００９６】
ラッチ１３８の下端部から横方向に延びる係止部１４１は、ドアフック１２１の回動範囲内に配置される。
【００９７】
以下、ドア１２０閉鎖時におけるドアフック１２１と係止部材１４０のドアロック作用について説明する。
【００９８】
図３Ａに示すように、ドア１２０が閉じるようにドア１２０に押圧力を加える。ドア１２０閉鎖時に、ドアフック１２１の傾斜面１２１ａが係止部１４１に接触する。ここで、ドアフック１２１の傾斜面１２１ａとは、ドアフック１２１の下端に備えられ、上方（ドアフック１２１の締結部側）に行くほど幅が広くなるテーパ状に形成されるフック突起の一側面をいう。
【００９９】
ドアフック１２１がドア閉鎖方向に移動すると、圧縮ばね１４３の付勢力に打ち勝って係止部材１４０を圧縮方向（矢印方向）に移動させ、図３Ｂに示すように、ドアフック１２１がさらに下降すると、圧縮ばね１４３の付勢力により係止部１４１がドアフック１２１のフック突起の内側に係止することにより、ドア１２０が完全に閉じる。ここで、ドアフック１２１が係止部１４１に係止されることにより、ドア１２０がロック状態となる。
【０１００】
ドア１２０を開く場合は、外部操作ハンドル１１１をリセット位置に回動させることにより、ドアフック１２１と係止部材１４０の係止を解除した状態でドア１２０を開くことができる。
【０１０１】
本発明は、従来技術による係止部材とは異なり、係止部１４１がドア１２０平面（ドア１２０閉鎖時）に対して所定角度（θ１）傾斜して配置されることを特徴とする。
【０１０２】
係止部１４１を所定角度（θ１）傾斜して配置した理由は、ドアフック１２１と係止部１４１の接触時にドアフック１２１から係止部１４１に伝達される荷重の分力を大きくすることにより、小さな力でドア１２０を容易に閉じることができるようにするためである。
【０１０３】
ここで、係止部１４１は、ラッチ１３８の固定溝１３８ｂに固定されるので、ラッチ１３８の回動作動により拘束される。
【０１０４】
例えば、外部操作ハンドル１１１をリセット位置に回動させると、その回動力が作動カム１３２及びラッチホルダー１３９からラッチ突起１３８ａを介してラッチ１３８に伝達され、伝達された回動力によりラッチ１３８が圧縮ばね１４３の付勢力に打ち勝って外部操作ハンドル１１１のリセット位置に回動することにより、係止部１４１が矢印の移動方向に移動する。そして、外部操作ハンドル１１１がリセット位置から拘束解除されると、ラッチ１３８が圧縮ばね１４３の付勢力により元の位置に復帰する。
【０１０５】
ところが、従来のように係止部がドア閉鎖時のドア平面と平行に配置される場合は、図８に示すように、ドアフックから伝達される力Ｆが係止部材の垂直方向に伝達され、係止部材が移動できる平面方向に伝達される力ｆはゼロとなる。
【０１０６】
しかし、本発明による係止部１４１は、ドア１２０閉鎖時のドア１２０平面に対して傾斜して配置されるので、図４に示すように、ドアフック１２１から伝達される力Ｆが係止部１４１の垂直方向への分力Ｆ１と平面方向への分力Ｆ２に分けられ、それぞれの分力Ｆ１、Ｆ２により係止部１４１に力ｆがドア１２０平面と平行な方向に作用する。この力ｆはＦ１ｃｏｓθ２−Ｆ２ｃｏｓθ１と定義することができる。
【０１０７】
よって、係止部材１４０のスキュー構造により、外部操作ハンドル１１１をリセット位置に拘束することなく、ドア１２０の操作力ｆだけでドアを閉じることができる。
【０１０８】
以上、本発明の実施形態について詳細に説明したが、本発明の権利範囲は、前述した実施形態に限定されるものではなく、特許請求の範囲において定義される本発明の基本概念を用いた当業者による様々な変形及び改良形態をも含むものである。
【符号の説明】
【０１０９】
１１０    配電盤ケース
１１１    外部操作ハンドル
１２０    ドア
１２１    ドアフック
１２１ａ    傾斜面
１２１ｂ    ドア結合部
１２１ｂ’    長孔
１２１ｃ    フック突起
１３０    作動リンク部
１３１    ハンドルマウント部
１３２    作動カム
１３３    リンク部材
１３５    連結ロッド
１３６    作動レバー
１３８    ラッチ
１３８ｂ    固定溝
１３９    ラッチホルダー
１３９ａ    突起収容溝
１４０    係止部材
１４１    係止部
１４２    結合部
１４３    圧縮ばね
１５０    遮断器
１５１    手動ハンドル
【図１】
0006001612.tif 000002
【図２Ａ】
0006001612.tif 000003
【図２Ｂ】
0006001612.tif 000004
【図２Ｃ】
0006001612.tif 000005
【図３Ａ】
0006001612.tif 000006
【図３Ｂ】
0006001612.tif 000007
【図４】
0006001612.tif 000008
【図５】
0006001612.tif 000009
【図６】
0006001612.tif 000010
【図７】
0006001612.tif 000011
【図８】
0006001612.tif 000012
【図９】
0006001612.tif 000013